(57)【要約】【課題】本発明は、セキュリティを確保しつつパスワード入力を簡略化して利用性を向上させた情報処理装置に関する。【解決手段】画像形成装置１は、一旦適切なパスワードが入力されると、その後のパスワードの必要なキー操作においては、予め設定された特定キー操作を行うことで、特定動作用パスワードの入力操作に代えている。したがって、パスワード入力が必要な場合に、いちいちパスワードの入力操作を行うことなく、機密を適切に保持しつつ、パスワードよりも簡単で短い特定キー操作を行うことで対応することができる。【選択図】          図１
2007164307.tif 000002
【特許請求の範囲】
【請求項１】
動作処理を開始するのに先立って初回パスワードの入力を求め、当該パスワードが入力されると、その後のキー操作に応じて各種動作処理を実行するとともに、所定の特定動作処理を求めるキー操作に対して特定動作用パスワード入力を求め、当該特定動作用パスワードが入力されると、当該特定動作処理を実行する処理を順次行う情報処理装置において、前記特定動作用パスワードが前記初回パスワードと同じパスワードであると、予め設定された所定の特定パスワード省略操作を当該特定動作用パスワードの入力操作に代えることを特徴とする情報処理装置。
【請求項２】
前記情報処理装置は、前記特定パスワード省略操作として予め複数種類の特定パスワード省略操作候補が登録されており、当該複数種類の特定パスワード省略操作候補から適宜選択された特定パスワード省略操作候補の操作内容を前記特定パスワード省略操作として用いることを特徴とする請求項１記載の情報処理装置。
【請求項３】
前記情報処理装置は、前記複数種類の各特定パスワード省略操作候補に対して、それぞれ予め複数種類のパスワード省略キー操作候補が登録されており、当該各特定パスワード省略操作候補の操作内容が、当該複数種類のパスワード省略キー操作候補から適宜選択されたパスワード省略キー操作候補のキー操作であることを特徴とする請求項２記載の情報処理装置。
【請求項４】
前記情報処理装置は、前記特定パスワード省略操作が、所定の操作キーを所定の短時間の間に複数回繰り返し行うキー操作であることを特徴とする請求項１から請求項３のいずれかに記載の情報処理装置。
【請求項５】
前記情報処理装置は、前記特定パスワード省略操作が、所定の操作キーを所定の時間の間継続して操作するキー操作であることを特徴とする請求項１から請求項３のいずれかに記載の情報処理装置。
【請求項６】
前記情報処理装置は、前記特定パスワード省略操作が、所定の操作キーの所定の箇所を押下するキー操作であることを特徴とする請求項１から請求項３のいずれかに記載の情報処理装置。
【請求項７】
前記情報処理装置は、前記特定パスワード省略操作が、所定の操作キーを他の所定の操作キーと同時に操作する同時キー操作であることを特徴とする請求項１から請求項３のいずれかに記載の情報処理装置。
【請求項８】
前記情報処理装置は、前記特定パスワード省略操作が、所定の操作キーを所定の短時間の間に複数回繰り返し行うキー操作、所定の操作キーを所定の時間の間継続して操作するキー操作、所定の操作キーの所定の箇所を押下するキー操作または所定の操作キーを他の所定の操作キーと同時に操作する同時キー操作のいずれかのキー操作を複数組み合わせたキー操作であることを特徴とする請求項１から請求項３のいずれかに記載の情報処理装置。
【発明の詳細な説明】
【技術分野】
【０００１】
本発明は、情報処理装置に関し、詳細には、セキュリティを確保しつつパスワード入力を簡略化して利用性を向上させた情報処理装置に関する。
【背景技術】
【０００２】
近年、情報の保護が重要な課題となっており、各種情報を取り扱う情報処理装置においては、従来から、情報のセキュリティを確保するために、少なくとも情報処理装置への操作の開始時にはパスワードの入力を要求し、また、その後の操作においても、特定の情報操作等においては、再度のパスワードの入力を要求することで、情報の保護を図っている。
【０００３】
例えば、プリンタ、複写装置等の画像形成装置においては、近年、ハードディスク等の画像蓄積メモリを備え、データを一旦画像蓄積メモリに蓄積した後、記録出力する。
【０００４】
そして、画像形成装置の取り扱うデータは、機密性を要するデータもあり、画像形成装置は、このような機密性を要するデータ（以下、必要に応じて機密データという。）に対しては、従来、外部情報処理装置側からあるいは操作部からユーザＩＤ（Identity）等の識別情報を付加して画像形成装置に入力し、画像形成装置が、入力される機密画像データを画像蓄積メモリに一旦蓄積するとともに、識別情報に基づいて管理している。画像形成装置は、出力時に操作部から識別情報が入力されて認証が完了すると、当該入力された識別情報と一致する識別情報の機密データが画像蓄積メモリに格納されているかチェックし、識別情報の一致する機密データを画像蓄積メモリから読み出して記録出力する。
【０００５】
そこで、従来から画像形成装置の使用者を限定したり、使用した場合の課金を行うために、ネットワークに接続されている画像形成装置のプリンタドライバをインストールする場合に、使用者固有のＩＤを入力し、この画像形成装置を使用して印刷を行うときに、プリンタドライバに使用者固有のＩＤを付けて印刷指示を行うことで、印刷指示を行った使用者を認識して、不正使用を防止することが行われている。
【０００６】
ところが、このように印刷指示を行うたびにＩＤ入力を求めると、利用性が悪いという問題がある。
【０００７】
そこで、本出願人は、先に、ネットワーク上の正規に入手されたプリンタドライバと正規ではない入手経路のプリンタドライバの識別コード（ＩＤコード）を変えることで、不正なＩＤによる画像形成装置の使用を防止する画像形成装置管理システムを提案している（特許文献１参照）。
【０００８】
【特許文献１】特開２００２−１６９６７３号公報
【発明の開示】
【発明が解決しようとする課題】
【０００９】
しかしながら、上記従来技術にあっては、情報の保護を図りつつパスワードの入力操作を簡略化する上で、なお改良の必要があった。
【００１０】
すなわち、上記従来公報記載の従来技術にあっては、プリンタドライバの正規入手と正規でない入手とを分けて管理するものであるため、印刷出力だけでなく、データの各種操作に対しては、対応することができず、改良の必要があるとともに、動作処理を開始するに先立ってパスワードの入力を求めるだけでなく、所定の特定動作処理、例えば、装置内に格納されているデータのコピー動作処理等を要求する操作に対してもパスワード入力を求めることで機密の保護を図る場合には、このような特定動作を要求する毎にパスワードの入力操作を行う必要があり、機密を保護しつつ操作性を向上させる上で、改良の必要があった。
【００１１】
そこで、本発明は、各種情報処理における情報の機密性を維持しつつ、操作性を向上させることのできる情報処理装置を提供することを目的としている。
【課題を解決するための手段】
【００１２】
請求項１記載の発明の情報処理装置は、動作処理を開始するのに先立って初回パスワードの入力を求め、当該パスワードが入力されると、その後のキー操作に応じて各種動作処理を実行するとともに、所定の特定動作処理を求めるキー操作に対して特定動作用パスワード入力を求め、当該特定動作用パスワードが入力されると、当該特定動作処理を実行する処理を順次行う情報処理装置において、前記特定動作用パスワードが前記初回パスワードと同じパスワードであると、予め設定された所定の特定パスワード省略操作を当該特定動作用パスワードの入力操作に代えることにより、上記目的を達成している。
【００１３】
この場合、例えば、請求項２に記載するように、前記情報処理装置は、前記特定パスワード省略操作として予め複数種類の特定パスワード省略操作候補が登録されており、当該複数種類の特定パスワード省略操作候補から適宜選択された特定パスワード省略操作候補の操作内容を前記特定パスワード省略操作として用いるものであってもよい。
【００１４】
また、例えば、請求項３に記載するように、前記情報処理装置は、前記複数種類の各特定パスワード省略操作候補に対して、それぞれ予め複数種類のパスワード省略キー操作候補が登録されており、当該各特定パスワード省略操作候補の操作内容が、当該複数種類のパスワード省略キー操作候補から適宜選択されたパスワード省略キー操作候補のキー操作であってもよい。
【００１５】
さらに、例えば、請求項４に記載するように、前記情報処理装置は、前記特定パスワード省略操作が、所定の操作キーを所定の短時間の間に複数回繰り返し行うキー操作であってもよい。
【００１６】
また、例えば、請求項５に記載するように、前記情報処理装置は、前記特定パスワード省略操作が、所定の操作キーを所定の時間の間継続して操作するキー操作であってもよい。
【００１７】
さらに、例えば、請求項６に記載するように、前記情報処理装置は、前記特定パスワード省略操作が、所定の操作キーの所定の箇所を押下するキー操作であってもよい。
【００１８】
また、例えば、請求項７に記載するように、前記情報処理装置は、前記特定パスワード省略操作が、所定の操作キーを他の所定の操作キーと同時に操作する同時キー操作であってもよい。
【００１９】
さらに、例えば、請求項８に記載するように、前記情報処理装置は、前記特定パスワード省略操作が、所定の操作キーを所定の短時間の間に複数回繰り返し行うキー操作、所定の操作キーを所定の時間の間継続して操作するキー操作、所定の操作キーの所定の箇所を押下するキー操作または所定の操作キーを他の所定の操作キーと同時に操作する同時キー操作のいずれかのキー操作を複数組み合わせたキー操作であってもよい。
【発明の効果】
【００２０】
本発明の情報処理装置によれば、特定動作用パスワードの入力の求められる特定動作処理を求めるキー操作に対して、予め設定された所定の特定パスワード省略操作を当該特定動作用パスワードの入力操作に代えているので、パスワード入力が必要な場合に、いちいちパスワードの入力操作を行うことなく、パスワードよりも簡単で短い特定パスワード省略操作を行うことで対応することができ、機密を適切に保持しつつ、利用性を向上させることができる。
【発明を実施するための最良の形態】
【００２１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２２】
図１〜図３は、本発明の情報処理装置の第１実施例を示す図であり、図１は、本発明の情報処理装置の第１実施例を適用した画像形成装置１のブロック構成図である。
【００２３】
図１において、画像形成装置１は、ＣＰＵ（Central Processing Unit ）２、ＲＯＭ（Read Only Memory）３、ＲＡＭ（Random Access Memory）４、操作部５、不揮発性ＲＡＭ６、原稿読取部７、ＭＳＵ８、画像メモリ９、印刷部１０及びネットワークアダプタ１１等を備えている。
【００２４】
ＲＯＭ３は、画像形成装置１としての基本プログラム及び後述するパスワード管理制御処理プログラム等の各種プログラムを格納するとともに、これらの各プログラムを実行するのに必要な各種データを格納する。このパスワード管理制御処理プログラム（ソフトウェア）は、予めＲＯＭ３に格納されているものに限るものではなく、例えば、ＣＤ（Compact Disc）等の記録媒体に当該パスワード管理制御処理プログラムが記録されていて、当該パスワード管理制御処理プログラムを図示しないドライバで読み取って、図示しないハードディスクあるいはプログラム格納用メモリに格納するようにしてもよい。そして、本実施例の画像形成装置１のパスワード管理制御機能は、当該パスワード管理制御プログラムを組み込むことで、構築される。
【００２５】
ＣＰＵ２は、ＲＯＭ３内のプログラムに基づいて、ＲＡＭ４をワークメモリとして利用しつつ画像形成装置１の各部を制御して、画像形成装置１としての基本処理を実行するとともに、後述するパスワード管理制御処理を実行する。
【００２６】
操作部５は、図３に示すような液晶タッチパネル２０を備えているとともに、図示しないテンキーやその他の操作キー等のハードキーが設けられている。液晶タッチパネル２０には、機能操作キー及び画像形成装置１の状態を示すメッセージ等が表示され、液晶タッチパネル２０は、後述するように、パスワード管理制御処理でのパスワード入力やパスワード入力を省略するための各種設定操作等を行うのに必要な機能操作キーが表示され、このタッチパネル１０上の機能操作キーが操作されることで、後述するパスワード管理制御処理での特定キーの操作、特定キーの設定登録操作等が行われる。
【００２７】
不揮発性ＲＡＭ６は、画像形成装置１の電源がオフになっても記憶しておくべき各種設定値やファイル属性テーブル等を、ＣＰＵ２の制御下で記憶する。
【００２８】
原稿読取部７は、例えば、ＣＣＤ（Charge Coupled Device ）を利用したイメージスキャナ等が用いられており、ＡＤＦ（自動原稿送り装置）を備えている。ＡＤＦは、セットされた複数の原稿を１枚ずつ分離して、原稿読取部７の読取台に搬送する。原稿読取部７は、読取台上にセットされた原稿及びＡＤＦにより読取台上に搬送されてきた原稿に光を照射して、原稿で反射された反射光により原稿の画像を読み取る。原稿読取部７の読み取った画像データは、ＭＳＵ８により画像メモリ９に格納される。
【００２９】
印刷部１０は、所定の印刷方式、例えば、電子写真方式等でＭＳＵ８から転送されてくる画像データに基づいて記録紙に印刷を行う。
【００３０】
画像メモリ９は、出力用の画像データを記憶し、ＭＳＵ８からアクセスすることができる。
【００３１】
ＭＳＵ８は、画像メモリ用のコントローラであり、ＣＰＵ２からのコマンドによって画像メモリ９等の制御を行って、原稿読取部７からの画像データの画像メモリ９への記憶、画像メモリ９に展開した画像の印刷部１０での記録出力及びＣＰＵ２からの画像メモリ９上に対する任意の値のセット（任意の画像の書き込み）等を実行する。
【００３２】
ネットワークアダプタ１１には、ＬＡＮ（Local Area Network）が接続されており、このＬＡＮに接続されている外部装置としての外部コンピュータＰＣとの間で、コマンドの送・受信を行う。
【００３３】
次に、本実施例の作用を説明する。本実施例の画像形成装置１は、画像形成装置１の利用に際して、操作部５から初回パスワードの入力を求め、また、機密を要する特定動作処理の要求操作においても特定動作用パスワードの入力を求めることで、画像メモリ９に蓄積されている画像データの機密を保持している。
【００３４】
そのため、画像形成装置１は、操作部５のキー操作や液晶タッチパネル２０の操作で入力されたパスワードを、ＣＰＵ２が不揮発性ＲＡＭ６に保存し、その後、初回パスワードや特定動作用パスワードとして、操作部５のキー操作または液晶タッチパネル２０の操作で入力されたパスワードを不揮発性ＲＡＭ６のパスワードと比較して、一致すると、適正なパスワードが入力されたとして、画像形成装置１の操作の開始を認め、また、特定動作処理を開始する。
【００３５】
ところが、特定動作処理の要求操作毎に特定動作用パスワードの入力操作を行うのは、非効率的であり、利用性を損ねることとなる。
【００３６】
そこで、本実施例の画像形成装置１は、初回パスワードが適切に入力されていることを条件として、特定動作用パスワードの入力の代わりに、特定動作用パスワードよりも簡単で短い所定の特定キー操作（特定パスワード省略操作）を行うことで、特定動作用パスワードの入力を省略することができるようにして、機密性を保持しつつ、操作性を向上させている。
【００３７】
そのために、画像形成装置１は、特定動作用パスワードに代わる特定キー操作が予め不揮発性ＲＡＭ６に記憶されており、特定動作処理の要求において、この特定キー操作が行われると、特定動作用パスワードが入力されたものとして、当該要求された特定動作処理を実行するパスワード管理制御処理を行う。
【００３８】
すなわち、画像形成装置１は、図２に示すように、利用開始のためのキー操作または機密を要する特定動作処理の要求を行うためのキー操作が行われると（ステップＳ１０１）、既に正しいパスワードが入力済であるかチェックし（ステップＳ１０２）、正しいパスワードが未入力、すなわち、初回パスワード入力タイミングであると、パスワードの入力を求める旨のメッセージを操作部５の液晶タッチパネル２０に表示してパスワード入力の要求を行う（ステップＳ１０３）。
【００３９】
パスワードの入力要求を行うと、画像形成装置１は、正しいパスワードが操作部５から入力されたかチェックし（ステップＳ１０４）、正しいパスワードが入力されると、当該キー操作に応じた動作処理を実行して、パスワード管理制御処理を終了する（ステップＳ１０５）。
【００４０】
ステップＳ１０４で、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００４１】
ステップＳ１０２で、正しいパスワードが既に入力済であると、すなわち、初回パスワードが既に入力済であって、今回のキー操作が特定動作処理の要求に対応するキー操作であると、不揮発性ＲＡＭ６に登録されている特定キー操作が行われたかチェックし（ステップＳ１０６）、特定キー操作が行われないときには、パスワードの入力を求める旨のメッセージを操作部５の液晶タッチパネル２０に表示してパスワード入力の要求を行って（ステップＳ１０３）、正しいパスワードが操作部５から入力されたかチェックする（ステップＳ１０４）。ステップＳ１０４で、正しいパスワードが入力されると、当該キー操作に応じた動作処理を実行して、パスワード管理制御処理を終了し（ステップＳ１０５）、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００４２】
ステップＳ１０６で、不揮発性ＲＡＭ６に登録されている特定キー操作が行われると、画像形成装置１は、キー操作に応じた動作処理を実行して、パスワード管理制御処理を終了する（ステップＳ１０５）。
【００４３】
このように、本実施例の画像形成装置１は、一旦適切なパスワード（初回パスワード）が入力されると、その後のパスワードの必要なキー操作においては、予め設定された特定パスワード省略操作である特定キー操作を行うことで、特定動作用パスワードの入力操作に代えている。
【００４４】
したがって、パスワード入力が必要な場合に、いちいちパスワードの入力操作を行うことなく、パスワードよりも簡単で短い特定キー操作を行うことで対応することができ、機密を適切に保持しつつ、画像形成装置１の利用性を向上させることができる。
【００４５】
なお、上記説明では、特定キー操作は、予め不揮発性ＲＡＭ６に登録されているが、この特定キー操作は、予め設定特定キー操作として用意されている複数の特定キー操作から適宜選択して予め不揮発性ＲＡＭ６に登録することもでき、また、その複数の特定キー操作の内容についても、予め登録されている複数の候補から適宜選択して登録することができる。
【００４６】
例えば、画像形成装置１は、図３（ａ）に示すように、液晶タッチパネル２０にパスワード入力スキップ操作画面を表示し、このパスワード入力スキップ操作画面に、パスワード入力の求められる特定動作処理に対して当該パスワード入力に代える特定キー操作として設定可能な複数のキー操作（図３の操作１〜操作６）を示す機能操作キー２１ａ〜２１ｆを表示するとともに、当該機能操作キー２１ａ〜２１ｆに対応させて設定されている設定特定キー操作（図３の設定１〜設定４）を表示する表示欄２２ａ〜２２ｆを表示する。
【００４７】
ユーザが、この液晶タッチパネル２０のパスワード入力スキップ操作画面（図３（ａ））で、例えば、図３に示すように、操作１の機能操作キー２１ａを押下すると、図３（ｂ）に示すように、液晶タッチパネル２０に、操作１のキー操作内容を選択するための設定画面を表示し、予め設定されている設定特定キー操作を設定１〜設定４の機能設定キー２３ａ〜２３ｄで表示する。
【００４８】
ユーザは、この設定画面で、任意の機能設定キー２３ａ〜２３ｄの１つを選択してタッチ操作して、「ＯＫ」の機能操作キーをタッチ操作することで、特定キー操作１に対して、予め定義されているキー操作である設定１〜設定４のうちの１つを選択して、当該選択したキー操作を割り当て、割り当てたキー操作を不揮発性ＲＡＭ６に特定キー操作として登録する。
【００４９】
このようにして、各特定キー操作に対して、予め設定されている設定キー操作を選択して登録することができる。
【００５０】
このようにすると、ユーザの操作しやすいキー操作や他人に分かり難いキー操作を特定パスワード省略操作である特定キー操作として簡単に登録して利用することができ、より一層適切に機密を保持しつつ、より一層利用性を向上させることができる。
【００５１】
また、各特定パスワード省略操作候補である特定キー操作の操作内容が、予め登録されている複数種類のパスワード省略キー操作候補であるキー操作から適宜選択することができる。
【００５２】
したがって、ユーザの操作しやすいキー操作や他人に分かり難いキー操作を特定パスワード省略操作である特定キー操作として簡単に利用することができ、より一層適切に機密を保持しつつ、より一層利用性を向上させることができる。
【実施例２】
【００５３】
図４及び図５は、本発明の情報処理装置の第２実施例を示す図であり、図４は、本発明の情報処理装置の第２実施例を適用した画像形成装置の操作部の特定キー操作の設定画面を表示するタッチパネルの上面図である。
【００５４】
なお、本実施例は、上記第１実施例の画像形成装置１と同様の画像形成装置に適用したものであり、本実施例の説明においては、必要に応じて、上記第１実施例の説明で用いた符号をそのまま用いて説明する。
【００５５】
本実施例の画像形成装置１は、機密を要する特定動作処理を要求するキー操作において求める特定動作用パスワードに代わる特定キー操作として、所定の間隔を開けて２回繰り返すキー操作を採用しており、この２回繰り返してキー操作する操作間隔を適宜選択して登録することができる。
【００５６】
そこで、画像形成装置１は、特定キー操作設定画面として、例えば、図４に示すような連続キータッチの時間間隔設定画面を液晶タッチパネル２０に表示する。図４では、連続キー操作する時間間隔として複数の時間をそれぞれ設定する複数の機能設定キー２４ａ〜２４ｃが表示されている。
【００５７】
ユーザは、図４の連続キータッチの時間間隔設定画面で、任意の機能設定キー２４ａ〜２４ｃをタッチ操作することで、連続キー操作する時間間隔を任意に設定することができる。
【００５８】
画像形成装置１は、特定キー操作設定画面で選択された連続キー操作時間間隔を不揮発性ＲＡＭ６に特定キー操作として登録する。
【００５９】
このように特定キー操作として連続キー操作とその連続キー操作時間間隔が登録されている状態で、キー操作が行われると、図５に示すように、パスワード管理制御処理を行う。なお、図５において、図２と同様の処理ステップについては、同一のステップナンバーを付して、その説明を簡略化する。また、図５では、図４で、機能設定キー２４ａがタッチ操作されて、「０．５秒以内に連続押下する」が特定キー操作として設定登録されているものとする。
【００６０】
すなわち、画像形成装置１は、図５に示すように、利用開始のためのキー操作または機密を要する特定動作処理の要求を行うためのキー操作が行われると（ステップＳ１０１）、既に正しいパスワードが入力済であるかチェックし（ステップＳ１０２）、正しいパスワードが未入力であると、パスワードの入力を求める旨のメッセージを操作部５の液晶タッチパネル２０に表示してパスワード入力の要求を行う（ステップＳ１０３）。
【００６１】
パスワードの入力要求を行うと、画像形成装置１は、正しいパスワードが操作部５から入力されたかチェックし（ステップＳ１０４）、正しいパスワードが入力されると、当該キー操作に応じた動作処理を実行して、パスワード管理制御処理を終了する（ステップＳ１０５）。
【００６２】
ステップＳ１０４で、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００６３】
ステップＳ１０２で、正しいパスワードが既に入力済であると、不揮発性ＲＡＭ６に登録されている特定キー操作である「キー押下が０．５秒以内に２回あった」かをチェックし（ステップＳ２０１）、この特定キー操作が行われないときには、パスワードの入力を求める旨のメッセージを操作部５の液晶タッチパネル２０に表示してパスワード入力の要求を行って（ステップＳ１０３）、正しいパスワードが操作部５から入力されたかチェックする（ステップＳ１０４）。ステップＳ１０４で、正しいパスワードが入力されると、当該キー操作に応じた動作処理を実行して、パスワード管理制御処理を終了し（ステップＳ１０５）、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００６４】
ステップＳ２０１で、不揮発性ＲＡＭ６に登録されている上記特定キー操作が行われると、画像形成装置１は、キー操作に応じた動作処理を実行して、パスワード管理制御処理を終了する（ステップＳ１０５）。
【００６５】
このように、本実施例の画像形成装置１は、特定パスワード省略操作である特定キー操作が、操作キーを所定の短時間の間に複数回繰り返し行うキー操作を採用している。
【００６６】
したがって、パスワード入力が必要な場合に、いちいちパスワードの入力操作を行うことなく、パスワード入力より簡単な複数回の繰り返しキー操作で対応することができ、機密を適切に保持しつつ、画像形成装置１の利用性を向上させることができる。
【実施例３】
【００６７】
図６及び図７は、本発明の情報処理装置の第３実施例を示す図であり、図６は、本発明の情報処理装置の第３実施例を適用した画像形成装置の操作部の特定キー操作の設定画面を表示するタッチパネルの上面図である。
【００６８】
なお、本実施例は、上記第１実施例の画像形成装置１と同様の画像形成装置に適用したものであり、本実施例の説明においては、必要に応じて、上記第１実施例の説明で用いた符号をそのまま用いて説明する。
【００６９】
本実施例の画像形成装置１は、機密を要する特定動作処理を要求するキー操作において求める特定動作用パスワードに代わる特定キー操作として、所定の間隔連続してキーを押下し続けることを採用しており、このキーを押下し続ける時間を適宜選択して登録することができる。
【００７０】
そこで、画像形成装置１は、特定キー操作設定画面として、例えば、図６に示すようなキー押下の継続操作時間の設定画面を液晶タッチパネル２０に表示する。図６では、キー押下の継続操作時間として複数の時間をそれぞれ設定する複数の機能設定キー２５ａ〜２５ｃが表示されている。
【００７１】
ユーザは、図６のキー押下の継続操作時間の設定画面で、任意の機能設定キー２５ａ〜２５ｃをタッチ操作することで、キー押下の継続操作時間を任意に設定することができる。
【００７２】
画像形成装置１は、キー押下の継続操作時間の設定画面で選択されたキー押下の継続操作時間を不揮発性ＲＡＭ６に特定キー操作として登録する。
【００７３】
このように特定キー操作として連続キー操作とそのキー押下の継続操作時間が登録されている状態で、キー操作が行われると、図７に示すように、パスワード管理制御処理を行う。なお、図７において、図２と同様の処理ステップについては、同一のステップナンバーを付して、その説明を簡略化する。また、図７では、図６で、機能設定キー２５ａがタッチ操作されて、「０．５秒以上押下し続ける」が特定キー操作として設定登録されているものとする。
【００７４】
すなわち、画像形成装置１は、図７に示すように、利用開始のためのキー操作または機密を要する特定動作処理の要求を行うためのキー操作が行われると（ステップＳ１０１）、既に正しいパスワードが入力済であるかチェックし（ステップＳ１０２）、正しいパスワードが未入力であると、パスワードの入力を求める旨のメッセージを操作部５の液晶タッチパネル２０に表示してパスワード入力の要求を行う（ステップＳ１０３）。
【００７５】
パスワードの入力要求を行うと、画像形成装置１は、正しいパスワードが操作部５から入力されたかチェックし（ステップＳ１０４）、正しいパスワードが入力されると、当該キー操作に応じた動作処理を実行して、パスワード管理制御処理を終了する（ステップＳ１０５）。
【００７６】
ステップＳ１０４で、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００７７】
ステップＳ１０２で、正しいパスワードが既に入力済であると、不揮発性ＲＡＭ６に登録されている特定キー操作である「キー押下が０．５秒以上し続けられた」かをチェックし（ステップＳ３０１）、この特定キー操作が行われないときには、パスワードの入力を求める旨のメッセージを操作部５の液晶タッチパネル２０に表示してパスワード入力の要求を行って（ステップＳ１０３）、正しいパスワードが操作部５から入力されたかチェックする（ステップＳ１０４）。ステップＳ１０４で、正しいパスワードが入力されると、当該キー操作に応じた動作処理を実行して、パスワード管理制御処理を終了し（ステップＳ１０５）、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００７８】
ステップＳ３０１で、不揮発性ＲＡＭ６に登録されている上記特定キー操作である０．５秒以上連続するキー押下が行われると、画像形成装置１は、キー操作に応じた動作処理を実行して、パスワード管理制御処理を終了する（ステップＳ１０５）。
【００７９】
このように、本実施例の画像形成装置１は、特定パスワード省略操作である特定キー操作として、所定の操作キーを所定の時間の間継続して操作するキー操作を採用している。
【００８０】
したがって、パスワード入力が必要な場合に、いちいちパスワードの入力操作を行うことなく、パスワード入力よりも簡単な所定時間継続するキー押下操作で対応することができ、機密を適切に保持しつつ、画像形成装置１の利用性を向上させることができる。
【実施例４】
【００８１】
図８及び図９は、本発明の情報処理装置の第４実施例を示す図であり、図８は、本発明の情報処理装置の第４実施例を適用した画像形成装置の操作部の特定キー操作の設定画面を表示するタッチパネル図である。
【００８２】
なお、本実施例は、上記第１実施例の画像形成装置１と同様の画像形成装置に適用したものであり、本実施例の説明においては、必要に応じて、上記第１実施例の説明で用いた符号をそのまま用いて説明する。
【００８３】
本実施例の画像形成装置１は、機密を要する特定動作処理を要求するキー操作において求める特定動作用パスワードに代わる特定キー操作として、キーの押下箇所、例えば、操作キーの四隅のうちどの箇所を押下するかを設定登録することができる。
【００８４】
そこで、画像形成装置１は、特定キー操作設定画面として、例えば、図８に示すようなキー押下箇所の設定画面を液晶タッチパネル２０に表示する。図８では、キー押下箇所として複数の箇所（左上、左下、右上、右下）をそれぞれ設定する複数の機能設定キー２６ａ〜２６ｃが表示されている。
【００８５】
ユーザは、図８のキー押下箇所の設定画面で、任意の機能設定キー２６ａ〜２６ｃをタッチ操作することで、キー押下箇所を任意に設定することができる。
【００８６】
画像形成装置１は、キー押下箇所の設定画面で選択されたキー押下箇所を不揮発性ＲＡＭ６に特定キー操作として登録する。
【００８７】
このように特定キー操作としてキー押下箇所が登録されている状態で、キー操作が行われると、図９に示すように、パスワード管理制御処理を行う。なお、図９において、図２と同様の処理ステップについては、同一のステップナンバーを付して、その説明を簡略化する。また、図９では、図８で、機能設定キー２６ｂがタッチ操作されて、「左下」が特定キー操作として設定登録されているものとする。
【００８８】
すなわち、画像形成装置１は、図９に示すように、利用開始のためのキー操作または機密を要する特定動作処理の要求を行うためのキー操作が行われると（ステップＳ１０１）、既に正しいパスワードが入力済であるかチェックし（ステップＳ１０２）、正しいパスワードが未入力であると、パスワードの入力を求める旨のメッセージを操作部５の液晶タッチパネル２０に表示してパスワード入力の要求を行う（ステップＳ１０３）。
【００８９】
パスワードの入力要求を行うと、画像形成装置１は、正しいパスワードが操作部５から入力されたかチェックし（ステップＳ１０４）、正しいパスワードが入力されると、当該キー操作に応じた動作処理を実行して、パスワード管理制御処理を終了する（ステップＳ１０５）。
【００９０】
ステップＳ１０４で、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００９１】
ステップＳ１０２で、正しいパスワードが既に入力済であると、不揮発性ＲＡＭ６に登録されている特定キー操作であるキー押下が操作キーの左下であるかをチェックし（ステップＳ４０１）、この特定キー操作が行われないときには、パスワードの入力を求める旨のメッセージを操作部５の液晶タッチパネル２０に表示してパスワード入力の要求を行って（ステップＳ１０３）、正しいパスワードが操作部５から入力されたかチェックする（ステップＳ１０４）。ステップＳ１０４で、正しいパスワードが入力されると、当該キー操作に応じた動作処理を実行して、パスワード管理制御処理を終了し（ステップＳ１０５）、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【００９２】
ステップＳ４０１で、不揮発性ＲＡＭ６に登録されている特定キー操作である操作キーの左下のキー操作が行われると、画像形成装置１は、キー操作に応じた動作処理を実行して、パスワード管理制御処理を終了する（ステップＳ１０５）。
【００９３】
このように、本実施例の画像形成装置１は、特定パスワード省略操作である特定キー操作として、所定の操作キーの所定の箇所を押下するキー操作を採用している。
【００９４】
したがって、パスワード入力が必要な場合に、いちいちパスワードの入力操作を行うことなく、パスワード入力より簡単なキーの特定の位置の押下操作で対応することができ、機密を適切に保持しつつ、画像形成装置１の利用性を向上させることができる。
【実施例５】
【００９５】
図１０及び図１１は、本発明の情報処理装置の第５実施例を示す図であり、図１０は、本発明の情報処理装置の第５実施例を適用した画像形成装置の操作部の特定キー操作の設定画面を表示するタッチパネル図である。
【００９６】
なお、本実施例は、上記第１実施例の画像形成装置１と同様の画像形成装置に適用したものであり、本実施例の説明においては、必要に応じて、上記第１実施例の説明で用いた符号をそのまま用いて説明する。
【００９７】
本実施例の画像形成装置１は、機密を要する特定動作処理を要求するキー操作において求める特定動作用パスワードに代わる特定キー操作として、特定キーと他の操作キーとの同時押下操作を設定登録することができる。
【００９８】
そこで、画像形成装置１は、特定キー操作設定画面として、例えば、図１０に示すような同時押下キー設定画面を液晶タッチパネル２０に表示する。図１０では、同時押下するキーとして、テンキー、＊（アスタリスク）キー及び＃（パウンド）キーを選択する画面が表示されている。
【００９９】
ユーザは、図１０の同時押下キー設定画面で、テンキー、＊（アスタリスク）キー及び＃（パウンド）キーのうち任意の機能設定キーをタッチ操作することで、同時押下する操作キーを任意に設定することができる。
【０１００】
画像形成装置１は、同時押下キー設定画面で選択された同時押下キーの同時押下を不揮発性ＲＡＭ６に特定キー操作として登録する。
【０１０１】
このように特定キー操作として同時押下キーの同時押下が登録されている状態で、キー操作が行われると、図１１に示すように、パスワード管理制御処理を行う。なお、図１１において、図２と同様の処理ステップについては、同一のステップナンバーを付して、その説明を簡略化する。また、図１１では、図１０で、パウンド（＃）キーがタッチ操作されて、パウンド（＃）キーの同時押下が特定キー操作として設定登録されているものとする。
【０１０２】
すなわち、画像形成装置１は、図１１に示すように、利用開始のためのキー操作または機密を要する特定動作処理の要求を行うためのキー操作が行われると（ステップＳ１０１）、既に正しいパスワードが入力済であるかチェックし（ステップＳ１０２）、正しいパスワードが未入力であると、パスワードの入力を求める旨のメッセージを操作部５の液晶タッチパネル２０に表示してパスワード入力の要求を行う（ステップＳ１０３）。
【０１０３】
パスワードの入力要求を行うと、画像形成装置１は、正しいパスワードが操作部５から入力されたかチェックし（ステップＳ１０４）、正しいパスワードが入力されると、当該キー操作に応じた動作処理を実行して、パスワード管理制御処理を終了する（ステップＳ１０５）。
【０１０４】
ステップＳ１０４で、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【０１０５】
ステップＳ１０２で、正しいパスワードが既に入力済であると、不揮発性ＲＡＭ６に登録されている特定キー操作であるパウンド（＃）キーが押下さている状態でキー操作されたかチェックし（ステップＳ５０１）、この特定キー操作が行われないときには、パスワードの入力を求める旨のメッセージを操作部５の液晶タッチパネル２０に表示してパスワード入力の要求を行って（ステップＳ１０３）、正しいパスワードが操作部５から入力されたかチェックする（ステップＳ１０４）。ステップＳ１０４で、正しいパスワードが入力されると、当該キー操作に応じた動作処理を実行して、パスワード管理制御処理を終了し（ステップＳ１０５）、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【０１０６】
ステップＳ４０１で、不揮発性ＲＡＭ６に登録されている特定キー操作であるパウンド（＃）キーが押下された状態でキー操作が行われると、画像形成装置１は、キー操作に応じた動作処理を実行して、パスワード管理制御処理を終了する（ステップＳ１０５）。
【０１０７】
このように、本実施例の画像形成装置１は、特定パスワード省略操作である特定キー操作として、所定の操作キーを他の所定の操作キーと同時に操作する同時キー操作を採用している。
【０１０８】
したがって、パスワード入力が必要な場合に、いちいちパスワードの入力操作を行うことなく、パスワード入力より簡単な複数のキーの同時操作で対応することができ、機密を適切に保持しつつ、画像形成装置１の利用性を向上させることができる。
【実施例６】
【０１０９】
図１２及び図１３は、本発明の情報処理装置の第６実施例を示す図であり、図１２は、本発明の情報処理装置の第６実施例を適用した画像形成装置の操作部の特定キー操作の設定画面を表示するタッチパネル図である。
【０１１０】
なお、本実施例は、上記第１実施例の画像形成装置１と同様の画像形成装置に適用したものであり、本実施例の説明においては、必要に応じて、上記第１実施例の説明で用いた符号をそのまま用いて説明する。
【０１１１】
本実施例の画像形成装置１は、機密を要する特定動作処理を要求するキー操作において求める特定動作用パスワードに代わる特定キー操作として、複数種類の特定キー操作を組み合わせて設定登録することができる。
【０１１２】
そこで、画像形成装置１は、特定キー操作設定画面として、例えば、図１２に示すようなパスワード入力スキップ操作画面を表示し、パスワード入力の求められる特定動作処理に対して当該パスワード入力に代える特定キー操作として設定可能な複数のキー操作（図１２の操作１〜操作６）を示す機能操作キー２７ａ〜２７ｆを表示するとともに、当該機能操作キー２７ａ〜２７ｆに対応させて予め設定されている設定特定キー操作（図１２の設定１〜設定４）を表示する表示欄２８ａ〜２８ｆを表示する。
【０１１３】
ユーザが、この液晶タッチパネル２０のパスワード入力スキップ操作画面（図１２）で、例えば、図１２に示すように、操作１の機能操作キー２１ａと操作３の機能操作キー２７ｃを押下することで、特定キー操作として、操作１と操作２の組み合わせのキー操作を設定することができる。
【０１１４】
また、この図１２のパスワード入力操作画面で各操作１〜操作６の機能操作キー２７ａ〜２７ｆを操作することで、図３（ｂ）に示した場合と同様に、液晶タッチパネル２０に、操作１〜操作６のうち操作された操作キーのキー操作内容を選択するための設定画面を表示して、キー操作内容を選択することができる。
【０１１５】
ユーザは、この設定画面で、任意の機能設定キー２７ａ〜２７ｄを複数、例えば、図１２では、操作１の機能設定キー２７ａと操作３の機能設定キー２７ｃの２つを選択してタッチ操作して、「ＯＫ」の機能操作キーをタッチ操作することで、操作１と操作３の２つのキー操作を不揮発性ＲＡＭ６に特定キー操作として登録する。
【０１１６】
このように特定キー操作として連続する複数の特定キー操作が不揮発性ＲＡＭ６に登録されている状態で、キー操作が行われると、図１３に示すように、パスワード管理制御処理を行う。なお、図１３において、図２と同様の処理ステップについては、同一のステップナンバーを付して、その説明を簡略化する。また、図１３では、図９で、機能設定キー２７ａと機能設定キー２７ｂがタッチ操作されて、「キー押下が０．５秒以内に２回行う」キー操作と「左下」のキー押下が連続して操作されることを特定キー操作として設定登録されているものとする。
【０１１７】
すなわち、画像形成装置１は、図１３に示すように、利用開始のためのキー操作または機密を要する特定動作処理の要求を行うためのキー操作が行われると（ステップＳ１０１）、既に正しいパスワードが入力済であるかチェックし（ステップＳ１０２）、正しいパスワードが未入力であると、パスワードの入力を求める旨のメッセージを操作部５の液晶タッチパネル２０に表示してパスワード入力の要求を行う（ステップＳ１０３）。
【０１１８】
パスワードの入力要求を行うと、画像形成装置１は、正しいパスワードが操作部５から入力されたかチェックし（ステップＳ１０４）、正しいパスワードが入力されると、当該キー操作に応じた動作処理を実行して、パスワード管理制御処理を終了する（ステップＳ１０５）。
【０１１９】
ステップＳ１０４で、正しいパスワードが入力されないときには、画像形成装置１は、要求されたキー操作に対応する動作処理を行うことなく、エラーメッセージを操作部５の液晶タッチパネル２０に表示する等の処理を行って、パスワード管理制御処理を終了する。
【０１２０】
ステップＳ１０２で、正しいパスワードが既に入力済であると、画像形成装置１は、不揮発性ＲＡＭ６に登録されている特定キー操作である「キー押下が０．５秒以内に２回行われた」かをチェックし（ステップＳ６０１）、この特定キー操作が行われないときには、パスワードの入力を求める旨のメッセージを操作部５の液晶タッチパネル２０に表示してパスワード入力の要求を行って（ステップＳ１０３）、正しいパスワードが操作部５から入力されたかチェックする（ステップＳ１０４）。ステップＳ１０４で、正しいパスワードが入力されると、当該キー操作に応じた動作処理を実行して、パスワード管理制御処理を終了し（ステップＳ１０５）、正しいパスワードが入力されないときには、要求されたキー操作に対応する動作処理を行うことなく、エラーメッセージを操作部５の液晶タッチパネル２０に表示する等の処理を行って、パスワード管理制御処理を終了する。
【０１２１】
ステップＳ６０１で、不揮発性ＲＡＭ６に登録されている特定キー操作であるキー押下が０．５秒以内に２回行われていると、画像形成装置１は、同様に、不揮発性ＲＡＭ６に登録されている特定キー操作である操作キーの左下のキー操作が行われたかチェックし（ステップＳ６０２）、この特定キー操作が行われないときには、ステップＳ１０３に移行して、パスワードの入力を求める旨のメッセージの液晶タッチパネル２０への表示から上記同様に処理する（ステップＳ１０３〜Ｓ１０５）。
【０１２２】
ステップＳ６０２で、操作キーの左下のキー操作が行われると、画像形成装置１は、キー操作に応じた動作処理を実行して、パスワード管理制御処理を終了する（ステップＳ１０５）。
【０１２３】
このように、本実施例の画像形成装置１は、特定パスワード省略操作である特定キー操作として、任意に選択された複数種類の特定キー操作の連続操作を採用している。
【０１２４】
したがって、パスワード入力が必要な場合に、いちいちパスワードの入力操作を行うことなく、パスワード入力より簡単な複数種類の特定キー操作の連続操作で対応することができ、機密をより一層適切に保持しつつ、画像形成装置１の利用性を向上させることができる。
【０１２５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１２６】
機密の保持のためにパスワード入力操作を求めるプリンタ装置、複合装置、複写装置、ファクシミリ装置、コンピュータ等の情報処理装置一般に適用することができる。
【図面の簡単な説明】
【０１２７】
【図１】本発明の情報処理装置の第１実施例を適用した画像形成装置のブロック構成図。
【図２】図１の画像形成装置によるパスワード管理制御処理を示すフローチャート。
【図３】図１の画像形成装置の液晶タッチパネルに表示する特定キー操作の選択操作画面と設定内容選択操作画面の一例を示す図。
【図４】本発明の情報処理装置の第２実施例を適用した画像形成装置の液晶タッチパネルに表示する特定キー操作として連続キー操作の時間間隔の設定画面を示す図。
【図５】本発明の情報処理装置の第２実施例を適用した画像形成装置によるパスワード管理制御処理を示すフローチャート。
【図６】本発明の情報処理装置の第３実施例を適用した画像形成装置の液晶タッチパネルに表示する特定キー操作として継続キー押下の時間設定画面を示す図。
【図７】本発明の情報処理装置の第３実施例を適用した画像形成装置によるパスワード管理制御処理を示すフローチャート。
【図８】本発明の情報処理装置の第４実施例を適用した画像形成装置の液晶タッチパネルに表示する特定キー操作としてキー押下箇所の設定画面を示す図。
【図９】本発明の情報処理装置の第４実施例を適用した画像形成装置によるパスワード管理制御処理を示すフローチャート。
【図１０】本発明の情報処理装置の第５実施例を適用した画像形成装置の液晶タッチパネルに表示する特定キー操作として同時押下キーの設定画面を示す図。
【図１１】本発明の情報処理装置の第５実施例を適用した画像形成装置によるパスワード管理制御処理を示すフローチャート。
【図１２】本発明の情報処理装置の第６実施例を適用した画像形成装置の液晶タッチパネルに表示する特定キー操作として複数の特定キーを選択する設定画面を示す図。
【図１３】本発明の情報処理装置の第６実施例を適用した画像形成装置によるパスワード管理制御処理を示すフローチャート。
【符号の説明】
【０１２８】
１  画像形成装置
２  ＣＰＵ
３  ＲＯＭ
４  ＲＡＭ
５  操作部
６  不揮発性ＲＡＭ
７  原稿読取部
８  ＭＳＵ
９  画像メモリ
１０  印刷部
１１  ネットワークアダプタ
２０  液晶タッチパネル
２１ａ〜２１ｆ  機能操作キー
２２ａ〜２２ｆ  表示欄
２３ａ〜２３ｄ  機能設定キー
２４ａ〜２４ｃ  機能設定キー
２５ａ〜２５ｃ  機能設定キー
２６ａ〜２６ｃ  機能設定キー
２７ａ〜２７ｆ  機能操作キー
ＰＣ  外部コンピュータ
【図１】
2007164307.tif 000003
【図２】
2007164307.tif 000004
【図３】
2007164307.tif 000005
【図４】
2007164307.tif 000006
【図５】
2007164307.tif 000007
【図６】
2007164307.tif 000008
【図７】
2007164307.tif 000009
【図８】
2007164307.tif 000010
【図９】
2007164307.tif 000011
【図１０】
2007164307.tif 000012
【図１１】
2007164307.tif 000013
【図１２】
2007164307.tif 000014
【図１３】
2007164307.tif 000015